(57)【要約】【課題】所定のアプリケーションを容易に実行させることができる情報処理装置を提供する。【解決手段】１以上のアプリケーションから１つのアプリケーションを選択させるためのアプリケーションの一覧画像を生成する制御部と、前記制御部が生成した前記一覧画像を表示する出力部と、利用者による所定の操作を受け付ける入力部とを備え、前記制御部は、前記一覧画像に含まれる前記１以上のアプリケーションから第１アプリケーションを選択する操作を前記入力部が受け付けた場合、前記第１アプリケーションの実行画像の内容を示す仮実行画像を、前記一覧画像に重ねて前記出力部に表示させる、情報処理装置とする。【選択図】図２
2017117389.tif 000002
【特許請求の範囲】
【請求項１】
１以上のアプリケーションから１つのアプリケーションを選択させるためのアプリケーションの一覧画像を生成する制御部と、
前記制御部が生成した前記一覧画像を表示する出力部と、
利用者による所定の操作を受け付ける入力部とを備え、
前記制御部は、前記一覧画像に含まれる前記１以上のアプリケーションから第１アプリケーションを選択する操作を前記入力部が受け付けた場合、前記第１アプリケーションの実行画像の内容を示す仮実行画像を、前記一覧画像に重ねて前記出力部に表示させる、
情報処理装置。
【請求項２】
前記制御部は、アプリケーションの実行画像を含む表示画像を生成し、
前記出力部は、前記制御部が生成した前記表示画像を表示し、
さらに、
前記制御部は、前記仮実行画像を表示させた後、前記第１アプリケーションの選択を確定する前記利用者の意志を受け付けた場合に、前記第１アプリケーションの実行画像を前記表示画像に配置する、
請求項１に記載の情報処理装置。
【請求項３】
前記制御部は、前記表示画像における空きスペースの大きさと、前記空きスペースにおいて前記仮実行画像を移動させる位置とに基づいて、前記第１アプリケーションの実行画像の大きさを決定する、
請求項２に記載の情報処理装置。
【請求項４】
前記制御部は、アプリケーションの実行画像を含む表示画像を生成し、
前記出力部は、前記制御部が生成した前記表示画像を表示し、
さらに、
前記表示画像は、前記第１アプリケーションと異なる第２アプリケーションの実行画像を含み、
前記制御部は、前記第１アプリケーションの前記仮実行画像を前記第２アプリケーションの実行画像に対して移動させる操作を前記入力部が受け付けた場合、前記第２アプリケーションの前記実行画像の代わりに前記第１アプリケーション及び前記第２アプリケーションの両方の機能に関連する実行画像を前記出力部に表示させる、
請求項１に記載の情報処理装置。
【請求項５】
前記制御部は、アプリケーションの実行画像を含む表示画像を生成し、
前記出力部は、前記制御部が生成した前記表示画像を表示し、
さらに、
前記表示画像は、前記第１アプリケーションと異なる第２アプリケーションの実行画像を含み、
前記制御部は、前記第１アプリケーションの前記仮実行画像を前記第２アプリケーションの実行画像に対して移動させる操作を前記入力部が受け付けた場合、前記第２アプリケーションの前記実行画像の代わりに前記第１アプリケーションの実行画像を表示させる操作ボタン及び前記第２アプリケーションの実行画像を表示させる操作ボタンを前記出力部に表示させる、
請求項１に記載の情報処理装置。
【請求項６】
１以上のアプリケーションの実行画像を含む表示画像を生成する制御部と、
前記制御部が生成した前記表示画像を表示する出力部と、
利用者による所定の操作を受け付ける入力部とを備え、
前記表示画像は、第１アプリケーションの実行画像を含み、
前記制御部は、前記第１アプリケーションの実行画像に対して前記第１アプリケーションと異なる第２アプリケーションの実行画像の内容を示す仮実行画像を移動させる操作を前記入力部が受け付けた場合、前記第１アプリケーションの前記実行画像の代わりに前記第１アプリケーション及び前記第２アプリケーションの両方の機能に関連する実行画像を前記出力部に表示させる、
情報処理装置。
【請求項７】
コンピュータが、
１以上のアプリケーションから１つのアプリケーションを選択させるためのアプリケーションの一覧画像を生成し、
前記一覧画像に含まれる前記１以上のアプリケーションから第１アプリケーションを選択する操作を入力手段が受け付けた場合、前記第１アプリケーションの実行画像の内容を表す仮実行画像を、前記一覧画像に重ねて出力手段に表示させる、
ことを実行する情報処理方法。
【請求項８】
コンピュータが、
１以上のアプリケーションから１つのアプリケーションを選択させるためのアプリケーションの一覧画像を生成し、
前記一覧画像に含まれる前記１以上のアプリケーションから第１アプリケーションを選択する操作を入力手段が受け付けた場合、前記第１アプリケーションの実行画像の内容を表す仮実行画像を、前記一覧画像に重ねて出力手段に表示させる、
ことを実行するための情報処理プログラム。
【発明の詳細な説明】
【技術分野】
【０００１】
本発明は、情報処理装置、情報処理方法、情報処理プログラムに関する。
【背景技術】
【０００２】
従来より、車両に搭載されたオーディオ装置の操作画像、空調装置の操作画像、ナビゲーション装置の目的地への道案内等を表示するために、タッチパネル等を備えたディスプレイを内蔵する情報処理装置を車両内に設置することがある。車両の運転者は、ディスプレイ（車載ディスプレイ）に表示された画像を参照して、車内の装置の操作をしたり、現在位置を把握したりする。また、車両内に設置された情報処理装置（車載装置）では、携帯端末やタブレット端末等で汎用されるＯＳ（Operating System）が搭載され、オーディオ装置の操作画像等以外にも、他の様々なアプリケーションが実行され得る。
【先行技術文献】
【特許文献】
【０００３】
【特許文献１】特開２０１０−２８２４０９号公報
【発明の概要】
【発明が解決しようとする課題】
【０００４】
汎用のＯＳの１つであるアンドロイドＯＳを活用した車載ディスプレイのＨＭＩ（Human Machine Interface）仕様では、１つのページの背景画像（プレーン背景）の上にアプ
リケーションの実行画像となるウィジェットを表示させることが可能である。表示されるアプリケーションの実行画像は、アプリケーションで生成される情報を表示する出力画像、アプリケーションに対して情報を入力する仮想ボタンなどの入力画像のうち少なくとも１つを含む画像である。オーディオ装置の操作画像、空調装置の操作画像、ナビゲーション装置の目的地への道案内の画像等は、それぞれ、アプリケーションの実行画像の例である。
【０００５】
実行させるアプリケーションは、各アプリケーションを示すアイコンの一覧画像から、利用者によって選択される。アプリケーションを示すアイコンは、アプリケーションの実行画像と比べて小さいので、実行させるアプリケーションを間違えて選択することがある。特に車両に設置される情報処理装置においては、素早い判断を求められることがあるため、より間違えやすくなる。アプリケーションを間違えて選択したことは、１つのページの背景画像にアプリケーションの実行画像が表示されるまで、気が付きににくい。間違いに気が付いた場合には、再度、アプリケーションのアイコンの一覧画像から、所望のアプリケーションを選択することになる。したがって、所望のアプリケーションの実行画像を表示させるまでの手順が多くなることがある。また、所望のアプリケーションの実行画像を表示させるまでの手順が多くなると、車両の運転者が車載装置に対して多くの操作を行うことになり、運転上の安全性に問題が生じることがある。
【０００６】
本発明は、所定のアプリケーションを容易に実行させることができる情報処理装置を提供することを目的とする。
【課題を解決するための手段】
【０００７】
上記課題を解決するために、以下の手段を採用する。
即ち、第１の態様は、
１以上のアプリケーションから１つのアプリケーションを選択させるためのアプリケーションの一覧画像を生成する制御部と、前記制御部が生成した前記一覧画像を表示する出力
部と、利用者による所定の操作を受け付ける入力部とを備え、前記制御部は、前記一覧画像に含まれる前記１以上のアプリケーションから第１アプリケーションを選択する操作を前記入力部が受け付けた場合、前記第１アプリケーションの実行画像の内容を示す仮実行画像を、前記一覧画像に重ねて前記出力部に表示させる、情報処理装置とする。
【０００８】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュータ読み取り可能な記録媒体として特定することができる。また、開示の構成は、上記した各手段が実行する処理を情報処理装置が実行する方法をもって特定されてもよい。開示の構成は、上記した各手段が実行する処理を行う情報処理装置を含むシステムとして特定されてもよい。
【発明の効果】
【０００９】
本発明によれば、所定のアプリケーションを容易に実行させることができる情報処理装置を提供することができる。
【図面の簡単な説明】
【００１０】
【図１】図１は、実施形態に係るシステム構成の例を示す図である。
【図２】図２は、車両に搭載される情報処理装置の構成例を示す図である。
【図３】図３は、車両に搭載される装置の構成例を示す図である。
【図４】図４は、コンピュータのハードウェア構成例を示す図である。
【図５】図５は、情報処理装置の出力部のディスプレイに表示されるアプリケーションの実行画像を含む画像の例１−１を示す図である。
【図６】図６は、情報処理装置の出力部のディスプレイに表示されるアプリケーションのアイコンの一覧画像の例を示す図である。
【図７】図７は、情報処理装置におけるアプリケーション起動の動作フローの例１を示す図である。
【図８】図８は、空きスペースが存在するページの画像の例を示す図である。
【図９】図９は、アイコンの一覧画像に選択されたアプリケーションの実行画像が重ねられた画像の例を示す図である。
【図１０】図１０は、図８の空きスペースを含む画像に新たに起動されたアプリケーションの実行画像が表示される画像の例を示す図である。
【図１１】図１１は、新たに起動されたアプリケーションの実行画像が空きスペースに表示された例を示す図である。
【図１２】図１２は、情報処理装置におけるアプリケーション起動の動作フローの例２を示す図である。
【図１３】図１３は、複数の空きスペースが存在するページの画像の例を示す図である。
【図１４】図１４は、図１３の空きスペースを含む画像に新たに起動されたアプリケーションの実行画像が表示される画像の例を示す図である。
【図１５】図１５は、図１３の画像における第１領域、第２領域、第３領域の例を示す図である。
【図１６】図１６は、図１３の画像の空きスペースにおいてアプリケーションの大きい実行画像が表示される例を示す図である。
【図１７】図１７は、情報処理装置におけるアプリケーション起動の動作フローの例３を示す図である。
【図１８】図１８は、対応テーブルの例を示す図である。
【図１９】図１９は、情報処理装置の出力部のディスプレイに表示されるアプリケーションの実行画面を含む画像の例３−１を示す図である。
【図２０】図２０は、図１９の画像に新たに起動されたアプリケーションの実行画像が表示される画像の例を示す図である。
【図２１】図２１は、図２０でドラッグ操作されている実行画像が、他の実行画像の領域でドロップ操作された際の画像の例を示す図である。
【図２２】図２２は、アプリケーションスイッチの表示例を示す図である。
【発明を実施するための形態】
【００１１】
以下、図面を参照して実施形態について説明する。実施形態の構成は例示であり、発明の構成は、開示の実施形態の具体的構成に限定されない。発明の実施にあたって、実施形態に応じた具体的構成が適宜採用されてもよい。
【００１２】
〔実施形態〕
本実施形態の車両に搭載される情報処理装置では、複数のアプリケーションが実行される。情報処理装置のディスプレイには、実行される複数のアプリケーションの実行画像（ウィジェット）が表示される。ディスプレイに表示されるアプリケーションの実行画像は、所定の背景画像の上に重ねられて表示される。情報処理装置の利用者は、例えば、当該情報処理装置が搭載される車両の運転者である。
【００１３】
（構成例）
〈システム構成〉
図１は、本実施形態に係るシステム構成の例を示す図である。図１システムは、情報処理装置を搭載した車両１と、ネットワーク２を含む。車両１に搭載される情報処理装置は、ネットワーク２を介して、ネットワーク２に接続される他の情報処理装置（不図示）等に接続される。
【００１４】
ネットワーク２として、例えば、携帯電話回線網を利用したインターネット回線が挙げられる。車両１に搭載される情報処理装置は、例えば、車両１の運転者によって操作される。ネットワーク２は、インターネット接続業者の通信装置へのアクセス網とインターネットを含むネットワークであってもよい。インターネット接続業者の通信装置へのアクセス網は、例えば、通信事業者が提供する光ネットワーク、ＡＤＳＬ（Asymmetric Digital
Subscriber Line）等である。ネットワーク２は、公衆無線ネットワークの一例である。
【００１５】
図２は、車両に搭載される情報処理装置の構成例を示す図である。図２の情報処理装置１０は、制御部１１、記憶部１２、入力部１３、出力部１４、通信部１５を含む。情報処理装置１０は、車両１を運転する運転者等によって操作される。
【００１６】
制御部１１は、記憶部１２等に実行可能に展開されたコンピュータプログラムにより、情報処理装置１０としての処理を実行する。情報処理装置１０としての処理とは、例えば、車両１における様々な情報処理を含む。制御部１１は、利用者の指示等に基づいて、情報処理装置１０に接続されるオーディオ装置等の制御を行う。制御部１１は、出力部１３のディスプレイに所定の画像を表示させる。
【００１７】
記憶部１２は、制御部１１で実行されるコンピュータプログラム（アプリケーションを実行するためのプログラム）、あるいは、制御部１１が使用するデータ、テーブル等を格納する。データには、ディスプレイに表示される背景画像、アプリケーションに対応するアイコンの画像等が含まれる。
【００１８】
入力部１３は、例えば、タッチパネル、押しボタン、キーボード、ポインティングデバイス、マイク、カメラ等であり、利用者による操作を受け付ける。
【００１９】
出力部１４は、例えば、画像や文字情報を出力するディスプレイ等である。ディスプレイは、入力部１３のタッチパネルと一体化している。
【００２０】
通信部１５は、ネットワーク２を介して、ネットワーク２上の他の装置と通信する。ネットワーク２が携帯電話回線網の場合には、通信部１５は、携帯電話回線網の基地局を介してネットワーク２に接続する。また、通信部１５は、車両１内のオーディオ装置、空調装置、ナビゲーション装置等と接続する。
【００２１】
図３は、車両に搭載される装置の構成例を示す図である。図３の車両１には、情報処理装置１０、オーディオ装置２０、空調装置３０、ナビゲーション装置４０が搭載される。情報処理装置１０には、オーディオ装置２０、空調装置３０、ナビゲーション装置４０が接続される。車両１には、他の装置が搭載されてもよい。オーディオ装置２０、空調装置３０、ナビゲーション装置４０は、情報処理装置１０によって制御され得る。情報処理装置１０、オーディオ装置２０、空調装置３０、ナビゲーション装置４０は、一体化して、１つの車載装置として、構成されてもよい。
【００２２】
オーディオ装置２０は、スピーカ等の出力手段を含み、各種記憶媒体に記憶される音響、音声を再生し、出力手段に出力する。オーディオ装置２０には、放送受信手段、ディスク再生手段等が含まれてもよい。放送受信手段は、アンテナにより受信された放送波から、特定の周波数の放送波を選択受信し、復調して当該放送の音声信号等を出力する。記録媒体再生手段は、記録媒体に記憶されているデータをピックアップして読込み、読込んだデータに基づく音声信号の出力を行う。記録媒体には、例えば、ＣＤ、ＤＶＤ、ＳＤカード等が含まれる。
【００２３】
空調装置３０は、空調機器、温度測定手段等を含み、車両１内外の気温等に基づいて、車両１内の気温や湿度を調整する。
【００２４】
ナビゲーション装置４０は、ＧＰＳ（Global Positioning System）受信機を含み、Ｇ
ＰＳ衛星からの電波を受信し、現在位置（緯度、経度等）、時刻等を算出する。ただし、ナビゲーション装置としては、ＧＰＳ受信機を含むものに限定される訳ではない。ナビゲーション装置４０は、地図情報を記憶する。
【００２５】
情報処理装置１０、ナビゲーション装置４０は、ＰＣ（Personal Computer）、スマー
トフォン、携帯電話、タブレット型端末、車載装置、ＰＤＡ（Personal Digital Assistant）のような専用または汎用のコンピュータ、あるいは、コンピュータを搭載した電子機器を使用して実現可能である。
【００２６】
図４は、コンピュータのハードウェア構成例を示す図である。図４に示すコンピュータ９０は、一般的なコンピュータの構成を有している。図４のコンピュータ９０は、プロセッサ９１、メモリ９２、記憶部９３、入力部９４、出力部９５、通信制御部９６を有する。これらは、互いにバスによって接続される。メモリ９２及び記憶部９３は、コンピュータ読み取り可能な記録媒体である。コンピュータのハードウェア構成は、図４に示される例に限らず、適宜構成要素の省略、置換、追加が行われてもよい。
【００２７】
コンピュータ９０は、プロセッサ９１が記録媒体に記憶されたプログラムをメモリ９２の作業領域にロードして実行し、プログラムの実行を通じて各構成部等が制御されることによって、所定の目的に合致した機能を実現することができる。
【００２８】
プロセッサ９１は、例えば、ＣＰＵ（Central Processing Unit）やＤＳＰ（Digital Signal Processor）である。プロセッサ９１は、コンピュータ９０を制御し、様々な情報
処理の演算を行う。
【００２９】
メモリ９２は、例えば、ＲＡＭ（Random Access Memory）やＲＯＭ（Read Only Memory）を含む。メモリ９２は、主記憶装置とも呼ばれる。
【００３０】
記憶部９３は、例えば、ＥＰＲＯＭ（Erasable Programmable ROM）、ハードディスク
ドライブ（ＨＤＤ、Hard Disk Drive）である。また、記憶部９３は、リムーバブルメデ
ィア、即ち可搬記録媒体を含むことができる。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。記憶部９３は、二次記憶装置とも呼ばれる。
【００３１】
記憶部９３は、各種のプログラム、各種のデータ及び各種のテーブルを読み書き自在に記録媒体に格納する。記憶部９３には、オペレーティングシステム（Operating System :ＯＳ）、各種プログラム、各種テーブル等が格納される。記憶部９３に格納される情報は、メモリ９２に格納されてもよい。また、メモリ９２に格納される情報は、記憶部９３に格納されてもよい。
【００３２】
オペレーティングシステムは、ソフトウェアとハードウェアとの仲介、メモリ空間の管理、ファイル管理、プロセスやタスクの管理等を行うソフトウェアである。オペレーティングシステムは、通信インタフェースを含む。通信インタフェースは、通信制御部１０１２を介して接続される他の外部装置等とデータのやり取りを行うプログラムである。外部装置等には、例えば、他の情報処理装置、外部記憶装置等が含まれる。
【００３３】
入力部９４は、キーボード、ポインティングデバイス、ワイヤレスリモコン、タッチパネル、押しボタン等を含む。また、入力部９４は、カメラのような映像や画像の入力装置や、マイクロフォンのような音声の入力装置を含むことができる。
【００３４】
出力部９５は、ＬＣＤ（Liquid Crystal Display）、ＥＬ（Electroluminescence）パ
ネル、ＣＲＴ（Cathode Ray Tube）ディスプレイ、ＰＤＰ（Plasma Display Panel）等の表示装置、プリンタ等の出力装置を含む。また、出力部９５は、スピーカのような音声の出力装置を含むことができる。
【００３５】
通信制御部９６は、他の装置と接続し、コンピュータ９０と他の装置との間の通信を制御する。通信制御部９６は、例えば、ＬＡＮ（Local Area Network）インタフェースボード、無線通信のための無線通信回路、電話通信のための通信回路である。ＬＡＮインタフェースボードや無線通信回路は、インターネット等のネットワークに接続される。
【００３６】
コンピュータ９０で実行される一連の処理は、ハードウェアにより実行させることもできるが、ソフトウェアにより実行させることもできる。
【００３７】
プログラムを記述するステップは、記載された順序に沿って時系列的に行われる処理はもちろん、必ずしも時系列的に処理されなくても、並列的または個別に実行される処理を含む。プログラムを記述するステップの一部が省略されてもよい。
【００３８】
（動作例１）
本実施形態の情報処理装置１０の動作例１について、説明する。情報処理装置１０は、車両１に設置され、車両１のオーディオ装置２０、空調装置３０、ナビゲーション装置４０等と接続される。情報処理装置１０は、ネットワーク２上の他の情報処理装置等とも接続され得る。情報処理装置１０では、複数のアプリケーションが実行され、情報処理装置
１０の出力部１４のディスプレイには、アプリケーションの実行画像（ウィジェット）を含む画像が表示されている。アプリケーションの実行画像は、アプリケーションで生成される情報を表示する出力画像、アプリケーションに対して情報を入力する仮想ボタンなどの入力画像の少なくとも１つを含む画像である。情報処理装置１０において、汎用のＯＳが実行され、当該ＯＳ上で、複数のアプリケーションが実行されていてもよい。情報処理装置１０で実行されるアプリケーションは、例えば、アンドロイドＯＳのウィジェットとして実行可能なアプリケーションでる。
【００３９】
図５は、情報処理装置の出力部のディスプレイに表示されるアプリケーションの実行画像（ウィジェット）を含む画像の例１−１を示す図である。図５の例では、情報処理装置１０の出力部１４のディスプレイに表示される画像１０１は、背景画像１１１、４個のアプリケーションの実行画像１２１−１〜４を含む。背景画像１１１は、図形や写真等の画像であっても、ベタ塗りの一色であってもよい。４個のアプリケーションの実行画像１２１−１〜４は、背景画像１１１の上に、重ねられて描画されている。情報処理装置１０の制御部１１は、情報処理装置１０で実行されているアプリケーションについての実行画像を生成し、出力部１４のディスプレイに表示させる。ここでは、情報処理装置１０の出力部１４のディスプレイに表示される画像１００は、４個までのアプリケーションの実行画像を含むことができる。画像１０１において、アプリケーションの実行画像が表示される位置は、情報処理装置１０の利用者によって、自由に変更され得る。
【００４０】
図６は、情報処理装置の出力部のディスプレイに表示されるアプリケーションのアイコンの一覧画像の例を示す図である。図５の画像１０１に示されるようなアプリケーションの起動は、図６に示すアプリケーションのアイコンの一覧画像に含まれるアイコンが選択されることによって行われる。図６の一覧画像２０１は、８個のアプリケーションのアイコン１４１−１〜８が含まれる。アプリケーションのアイコンは、アプリケーション固有の画像である。アプリケーションのアイコンの近傍には、アプリケーションの名称や略称が記載されてもよい。図６の一覧画像２０１の例では、アプリケーションのアイコン１４１−１の近傍には、当該アプリケーションの名称である「APP-A」が記載されている。ア
プリケーションのアイコンの大きさは、図５のアプリケーションの実行画像の大きさよりも小さい。アプリケーションの一覧画像を閲覧する情報処理装置１０の利用者は、アプリケーションのアイコンやアイコンの近傍のアプリケーションの名称等から、実行したいアプリケーションを探索する。アプリケーションの一覧画像２０１に表示されるアイコンに対応するアプリケーションは、情報処理装置１０にインストールされているアプリケーションである。アプリケーションとアイコンとはあらかじめ対応付けられている。
【００４１】
図７は、情報処理装置におけるアプリケーション起動の動作フローの例１を示す図である。ここでは、情報処理装置１０において、複数のアプリケーションが実行され、画像１０１などのようなＮページ分（Ｎは１以上の整数）の画像が生成されているとする。また、情報処理装置１０の出力部１４のディスプレイには、第１ページの画像から第Ｎページの画像までのうちのいずれか１つのページの画像が表示されているとする。
【００４２】
ページの切り替えは、例えば、情報処理装置１０の入力部１３に対するページを切り替えるための所定の入力操作によって行われる。ページを切り替えるための所定の入力操作は、例えば、入力部１３のタッチパネルに対する横方向へのフリック操作である。フリック操作は、タッチパネル上で、指等を右から左、若しくは、左から右に動かす操作である。例えば、左から右へのフリック操作を検出した場合には１つ後ろのページに、右から左へのフリック操作を検出した場合には１つ前のページに、切り替えるとする。ページを切り替えるための所定の入力操作は、入力部１３のタッチパネルの右端の所定領域または左端の所定領域に対するタップ操作であってもよい。タップ操作は、タッチパネルを指等で軽く叩く操作である。例えば、左側の所定領域へのタップ操作を検出した場合には１つ前
のページに、左側の所定領域へのタップ操作を検出した場合には１つ後ろのページに、切り替えるとする。
【００４３】
ここで、少なくとも、アプリケーションの実行画像が表示されるページのいずれか１つにおいて、アプリケーションの実行画像が配置されていない空きスペース（空き領域）が存在するとする。ここでは、情報処理装置１０の出力部１４のディスプレイに、空きスペースを含む画像が表示されているとし、情報処理装置１０の利用者は、実行されていない所望のアプリケーションを起動して、当該空きスペースに、当該アプリケーションの実行画像を表示させる。
【００４４】
図８は、空きスペースが存在するページの画像の例を示す図である。図８の画像１０２は、背景画像１１１、３個のアプリケーションの実行画像１２１−１、−３、−４を含む。また、画像１０２は、アプリケーションの実行画像を表示しうる空きスペース１２１−５を含む。画像１０２は、例えば、画像１０１においてアプリケーションの実行画像１２１−２に対応するアプリケーションが終了した状態である。図８の画像１０２における空きスペース１２１−５は、点線による長方形で囲まれた領域である、図８の空きスペース１２１−５の領域内には、背景画像１１１が描画されている。空きスペース１２１−５において、点線による長方形や背景画像１１１は描画されなくてもよい。
【００４５】
Ｓ１０１では、情報処理装置１０の制御部１１は、空きスペースに対する所定の操作が行われたか否かを判定する。情報処理装置１０の出力部１４のディスプレイに、例えば、空きスペース１２１−５を含む画像１０２が表示されているとする。所定の操作は、例えば、入力部１３のタッチパネルの、空きスペース１２１−５に対応する領域に対するタッチアンドホールド（長押し）操作である。タッチアンドホールド（長押し）操作は、タッチパネルに指等を接触させて、そのまま維持する操作である。当該所定の操作は、空きスペース１２１−５にいずれかのアプリケーションの実行画像を表示させるための操作である。制御部１１は、所定の操作が入力部１３に入力された場合に、所定の操作が行われたと判定する。所定の操作が行われたと判定した場合（Ｓ１０１；ＹＥＳ）、処理がＳ１０２に進む。所定の操作が行われていないと判定した場合（Ｓ１０１；ＮＯ）、Ｓ１０１の処理を繰り返す。
【００４６】
Ｓ１０２では、情報処理装置１０の制御部１１は、アプリケーションのアイコンの一覧画像を、出力部１４のディスプレイに表示させる。ディスプレイに表示される一覧画像は、例えば、図６の一覧画像２０１である。一覧画像２０１に表示されるアイコンに対応するアプリケーションは、情報処理装置１０にインストールされているアプリケーションである。情報処理装置１０にインストールされているアプリケーションを実行するためのプログラムは、例えば、記憶部１２に格納される。情報処理装置１０の利用者は、一覧画像２０１に表示される一覧画像２０１に含まれるアプリケーションのアイコンを見て、実行するアプリケーションを探索し、選択する。
【００４７】
Ｓ１０３では、情報処理装置１０の制御部１１は、アプリケーションのアイコンの選択操作が行われたか否かを判定する。当該選択操作は、例えば、入力部１３のタッチパネルの、一覧画像２０１のいずれかのアイコンの表示領域に対応する領域に対するタッチアンドホールド（長押し）操作である。当該選択操作は、当該領域に対応するアイコンに対応するアプリケーションを起動させるための操作である。制御部１１は、選択操作が入力部１３に入力された場合に、選択操作が行われたと判定する。選択操作が行われたと判定した場合（Ｓ１０３；ＹＥＳ）、処理がＳ１０４に進む。選択操作が行われていないと判定した場合（Ｓ１０３；ＮＯ）、Ｓ１０３の処理を繰り返す。
【００４８】
Ｓ１０４では、情報処理装置１０の制御部１１は、出力部１４のディスプレイに、選択
されたアプリケーションの実行画像の内容を表す仮実行画像（ゴーストウィジェット）を、一覧画像２０１に重ねて表示させる。情報処理装置１０の制御部１１は、Ｓ１０３の選択操作が行われた領域に表示されるアイコンに対応するアプリケーションを実行するためのプログラムを、記憶部１２から読み出し、当該アプリケーションを起動する。情報処理装置１０の制御部１１は、当該アプリケーションの仮実行画像を、一覧画像２０１に重ねて表示する。当該アプリケーションの仮実行画像は、選択操作が行われた位置（アプリケーションのアイコンの表示領域内の位置）を当該実行画像の中心として、表示される。実行画像の中心は、例えば、長方形の実行画像の２本の対角線の交点である。
【００４９】
図９は、アイコンの一覧画像に選択されたアプリケーションの仮実行画像が重ねられた画像の例を示す図である。図９の一覧画像２０２では、図６の一覧画像２０１において、アプリケーション「APP-F」のアイコン１４１−６が選択されて、アプリケーション「APP-F」の仮実行画像１２１−６ａがアイコンの一覧画像に重ねて表示されている。仮実行画像１２１−６ａが表示される領域は、選択操作が行われたアプリケーション「APP-F」の
アイコン１４１−６の領域内の位置を仮実行画像１２１−６ａの中心とする領域である。情報処理装置１０の利用者は、表示された仮実行画像１２１-６ａを確認することで、選
択したアプリケーションを実行した場合の実行画像（ウィジェット）の内容を認識することができる。利用者が仮に意図しないアプリケーションを選択した場合であっても、この時点で間違いを認識することができる。ここで、表示される仮実行画像１２１−６ａは、半透明であることが望ましい。このとき、仮実行画像１２１−６ａに、アイコン１４１−６等が透けて見えるようになる。
【００５０】
Ｓ１０５では、情報処理装置１０の制御部１１は、アプリケーションのアイコンの選択操作が継続しているか否かを判定する。例えば、選択操作が入力部１３のタッチパネルのアイコンに対応する領域に対するタッチアンドホールド（長押し）操作である場合、制御部１１は、当該タッチアンドホールドのホールド（長押し）が継続しているか否かを判定する。利用者による選択操作の継続は、利用者に、選択されたアプリケーションの選択を確定して実行させる意志があることを意味する。即ち、選択したアプリケーションが所望のアプリケーションであったことを意味する。制御部１１は、所定時間以上選択操作が継続した場合に、その選択を確定する利用者の意志を受け付ける。選択操作が継続していないと判定した場合（Ｓ１０５；ＮＯ）、処理がＳ１０６に進む。選択操作が継続していると判定した場合（Ｓ１０５；ＹＥＳ）、処理がＳ１０７に進む。
【００５１】
Ｓ１０６では、情報処理装置１０の制御部１１は、選択されたアプリケーションを終了する。情報処理装置１０の制御部１１は、例えば、一覧画像２０２に表示されるアプリケーション「APP-F」の仮実行画像１２１−６ａを消去し、当該アプリケーションの起動を
中止する。これにより、選択されたアプリケーションの実行が中断する。その後、処理がＳ１０３に戻る。これによって、情報処理装置１０の利用者は、再度、実行するアプリケーションを選択することができる。
【００５２】
Ｓ１０７では、情報処理装置１０の制御部１１は、アイコンの一覧画像に代えてＳ１０１の処理の前に表示されていたページをディスプレイに表示させ、選択されたアプリケーションの仮実行画像を当該ページの画像に重ねて表示させる。仮実行画像が表示される位置は、Ｓ１０４で表示された一覧画像において仮実行画像が表示される位置と同じである。
【００５３】
図１０は、図８の空きスペースを含むページに新たに起動されたアプリケーションの仮実行画像が表示される画像の例を示す図である。図１０のページ（画像１０３）では、図８の画像１０２に、仮実行画像１２１−６ａが重ねられて表示されている。仮実行画像１２１−６ａが表示される位置は、図９の一覧画像２０２において表示されていた仮実行画
像１２１−６ａの位置と同じである。ここで、表示される仮実行画像１２１−６ａは、半透明であることが望ましい。このとき、仮実行画像１２１−６ａに、他の実行画像等が透けて見えるようになる。
【００５４】
ここで、情報処理装置１０の制御部１１は、入力部１３のタッチパネルに対するドラッグ操作を検出すると、当該ドラッグ操作に合わせて、仮実行画像１２１−６ａが表示される位置を変更する。ドラッグ操作は、タッチパネル上で指等を接触させながら動かす操作である。ここで、ドラッグ操作により、仮実行画像１２１−６ａの中心がディスプレイの右端に達した場合、制御部１１は、後ろのページを表示してもよい。同様に、ドラッグ操作により、仮実行画像１２１−６ａの中心がディスプレイの左端に達した場合、制御部１１は、前のページを表示してもよい。また、情報処理装置１０の制御部１１は、入力部１３のタッチパネルに対するドラッグ操作により、仮実行画像１２１−６ａが空きスペース１２１-５の領域内に移動したことを検出すると、当該空きスペース１２１−５に仮実行
画像（ゴーストウィジェット）１２１−６ａに変えて実行画像（ウィジェット）１２１−６ｂを表示する。これによって、図８の画像１０２の空きスペースに、新たに起動したアプリケーションの実行画像１２１−６ｂが表示される。
【００５５】
図１１は、新たに起動されたアプリケーションの実行画像が空きスペースに表示された例を示す図である。図１１の画像１０４では、新たに起動されたアプリケーションの実行画像１２１−６ｂは、画像１０３の空きスペース１２１-５の領域に表示されている。
【００５６】
（動作例２）
本実施形態の情報処理装置１０の動作例２について、説明する。動作例２は、動作例１と共通点を有する。ここでは、主に、動作例１との相違点について説明する。動作例２では、アプリケーションの実行画像を表示するページに複数の空きスペースが存在する場合に、新たに起動するアプリケーションの実行画像の大きさを任意に変更できるようにする。
【００５７】
図１２は、情報処理装置におけるアプリケーション起動の動作フローの例２を示す図である。ここでは、情報処理装置１０において、複数のアプリケーションが実行され、画像１０１などのようなＮページ分（Ｎは１以上の整数）の画像が生成されているとする。また、情報処理装置１０の出力部１４のディスプレイには、第１ページの画像から第Ｎページの画像までのうちのいずれか１つのページの画像が表示されているとする。
【００５８】
Ｓ２０１からＳ２０６までの動作は、動作例１（図７）のＳ１０１からＳ１０６までの動作と同様である。ただし、ここでは、少なくとも、アプリケーションの実行画像が表示されるページのいずれか１つにおいて、アプリケーションの実行画像が配置されていない空きスペース（空き領域）が複数存在するとする。ここでは、情報処理装置１０の出力部１４のディスプレイに、複数の空きスペースを含む画像が表示されているとし、情報処理装置１０の利用者は、実行されていない所望のアプリケーションを起動して、当該空きスペースの一部または全部に、当該アプリケーションの実行画像を表示させる。
【００５９】
図１３は、複数の空きスペースが存在するページの画像の例を示す図である。図１３の画像１０５は、背景画像１１１、２個のアプリケーションの実行画像１２１−１及び１２１−３を含む。また、画像１０５は、アプリケーションの実行画像を表示しうる空きスペース１２１−７及び１２１−８を含む。画像１０５は、例えば、画像１０１においてアプリケーションの実行画像１２１−２及び１２１−４に対応するアプリケーションが終了した状態である。図１３の画像１０５における空きスペース１２１−７及び１２１−８は、点線による長方形で囲まれた領域である。空きスペース１２１−７及び１２１−８は、上下に並んでいるとする。図１３の空きスペース１２１−７及び１２１−８の領域内には、
背景画像１１１が描画されている。空きスペース１２１−７及び１２１−８において、点線による長方形や背景画像１１１は描画されなくてもよい。
【００６０】
Ｓ２０７では、情報処理装置１０の制御部１１は、選択されたアプリケーションの仮実行画像を、Ｓ２０１の処理の前に表示されていたページの画像に重ねて表示する。当該仮実行画像が表示される位置は、例えば、Ｓ２０４で表示された一覧画像において仮実行画像が表示される位置と同じである。また、情報処理装置１０の制御部１１は、入力部１３のタッチパネルに対するドラッグ操作を検出すると、当該ドラッグ操作に合わせて、仮実行画像１２１−６ａが表示される位置を変更する。
【００６１】
図１４は、図１３の空きスペースを含むページに新たに起動されたアプリケーションの仮実行画像が表示される画像の例を示す図である。図１４の画像１０６では、図１３の画像１０５に、仮実行画像１２１−６ａが重ねられて表示されている。仮実行画像１２１−６ａが表示される位置は、一覧画像において表示されていた仮実行画像１２１−６ａの位置と同じである。ここで、表示される仮実行画像１２１−６ａは、半透明であることが望ましい。このとき、仮実行画像１２１−６ａに、他の実行画像等が透けて見えるようになる。
【００６２】
Ｓ２０８では、情報処理装置１０の制御部１１は、入力部１３のタッチパネルに対するドラッグ操作が空きスペース１２１-７または１２１−８の領域内で終了したか否かを判
定する。ドラッグ操作は、タッチパネルに接触する指等をタッチパネルから離すことで終了する。制御部１１が入力部１２のタッチパネルにおいてドラッグ操作の終了（ドロップ操作ともいう）を検出した場合（Ｓ２０８；ＹＥＳ）、処理がＳ２０９に進む。制御部１１が入力部１２のタッチパネルにおいてドラッグ操作の終了を検出していない場合（Ｓ２０８；ＮＯ）、Ｓ２０８の処理を繰り返す。
【００６３】
Ｓ２０９では、情報処理装置１０の制御部１１は、入力部１２のタッチパネルにより、ドラッグ操作が終了した位置（空きスペースにおいて仮実行画像を移動した位置。ドロップ操作した位置ともいう）を検出する。具体的には、例えば、ドラッグ操作が終了した位置が、空きスペース１２１−７の上部２分の１の領域を含む第１領域であるか、空きスペース１２１−７の下部２分の１の領域及び空きスペース１２１−８の上部２分の１の領域を含む第２領域であるか、空きスペース１２１−８の下部２分の１の領域を含む第３領域であるかを検出する。ドラッグ操作が終了した位置によって、実行画像が表示される位置や実行画像の大きさが変わる。
【００６４】
図１５は、図１３の画像における第１領域、第２領域、第３領域の例を示す図である。図１５の画像１０７では、仮実行画像１２１−６ａの図示を省略している。第１領域は、空きスペース１２１−７の上部２分の１の領域である。第１領域は、空きスペース１２１−８から離れた領域である。第２領域は、空きスペース１２１−７の下部２分の１の領域及び空きスペース１２１−８の上部２分の１の領域を含む領域である。第３領域は、空きスペース１２１−８の下部２分の１の領域を含む領域である。第３領域は、空きスペース１２１−７から離れた領域である。各領域は、互いに重複しない。
【００６５】
Ｓ２１０では、情報処理装置１０の制御部１１は、Ｓ２０９で検出したドラッグ操作が終了した位置に基づいて、Ｓ２０３で選択されたアプリケーションの実行画像を表示する位置及び実行画像の大きさを決定し、当該実行画像を表示する。ドラッグ操作が終了した位置が第１領域である場合、制御部１１は、空きスペース１２１−７に実行画像１２１−６を表示する。当該実行画像の大きさは、空きスペース１２１−７の大きさと同じである。また、ドラッグ操作が終了した位置が第３領域である場合、制御部１１は、空きスペース１２１−８に実行画像を表示する。当該実行画像の大きさは、空きスペース１２１−８
の大きさと同じである。
【００６６】
一方、ドラッグ操作が終了した位置が第２領域である場合、制御部１１は、空きスペース１２１−７及び空きスペース１２１−８に、Ｓ２０３で選択されたアプリケーションの実行画像を表示する。第２領域は、２つの隣接する空きスペースの接続部分を含む領域である。当該実行画像の大きさは、空きスペース１２１−７及び空きスペース１２１−８を含む領域の大きさである。即ち、当該実行画像の大きさは、仮実行画像１２１−６ａのほぼ２倍である。これにより、簡易な操作で、選択されたアプリケーションの実行画像の大きさを選択することができる。各アプリケーションは、あらかじめ、複数の大きさ（例えば、空きスペース１つ分、２つ分）の実行画像を表示できるようにされているとする。
【００６７】
図１６は、図１３の画像の空きスペースにおいてアプリケーションの大きい実行画像が表示される例を示す図である。図１６の画像１０８では、図１３の画像１０５の空きスペース１２１−７及び空きスペース１２１−８に、Ｓ２０３で選択されたアプリケーションの実行画像１２１−９が表示されている。実行画像１２１−９の大きさは、空きスペース１２１−７のほぼ２倍の大きさである。実行画像の大きさを大きくすることにより、空きスペースを有効に利用することができる。また、実行画像１２１−９では、実行画像１２１−６ｂと比べて、多くの情報や多くの操作ボタンを含むことができる。
【００６８】
Ｓ２０７において、情報処理装置１０の制御部１１は、入力部１３のタッチパネルに対するドラッグ操作を検出した際に、当該ドラッグ操作を行っている位置が、上記の第２領域内である場合、当該ドラッグ操作に合わせて表示する実行画像を、図１６の実行画像１２１−９のように、実行画像１２１−６ｂよりも大きい実行画像としてもよい。
【００６９】
ここでは、ディスプレイ全体の実行画像の領域の２つ分の大きさが空きスペースである場合について説明したが、空きスペースの割合は、２つ分の実行画像の領域の大きさの場合に限定されるものではなく、他の大きさの空きスペースであっても同様にすることができる。
【００７０】
（動作例３）
本実施形態の情報処理装置１０の動作例３について、説明する。動作例３は、動作例１、動作例２と共通点を有する。ここでは、主に、動作例１、動作例２との相違点について説明する。動作例３では、複数のアプリケーションの実行画像を、まとめて表示する。
【００７１】
図１７は、情報処理装置におけるアプリケーション起動の動作フローの例３を示す図である。ここでは、情報処理装置１０において、複数のアプリケーションが実行され、画像１０１などのようなＮページ分（Ｎは１以上の整数）の画像が生成されているとする。また、情報処理装置１０の出力部１４のディスプレイには、第１ページの画像から第Ｎページの画像までのうちのいずれか１つのページの画像が表示されているとする。
【００７２】
Ｓ３０２からＳ３０８までの動作は、動作例２（図１２）のＳ２０２からＳ２０８までの動作と同様である。ただし、ここでは、アプリケーションの実行画像が表示されるページにおいて、アプリケーションの実行画像が配置されていない空きスペース（空き領域）が存在しなくてもよい。図１７の動作フローは、情報処理装置１０の出力部１４のディスプレイに、起動するアプリケーションを選択するためのアイコンの一覧画像が表示されているところから開始されるとする。
【００７３】
Ｓ３０９では、情報処理装置１０の制御部１１は、入力部１２のタッチパネルにより、ドラッグ操作が終了した位置（仮実行画像を移動した位置。ドロップした位置）を検出する。具体的には、例えば、ドラッグ操作が終了した位置が、いずれのアプリケーションの
実行画像の領域であるかを検出する。ドラッグ操作が終了した位置によって、実行画像の表示の方法が変わる。
【００７４】
Ｓ３１０では、情報処理装置１０の制御部１１は、Ｓ３０９で検出したドラッグ操作が終了した位置に基づいて、Ｓ３０３で選択されたアプリケーションの実行画像の表示方法を決定する。制御部１１は、ドラッグ操作が終了した位置を含む領域で実行されるアプリケーション（例えば、アプリケーションの名称、識別子）を抽出する。また、制御部１１１は、Ｓ３０３で選択されたアプリケーション（例えば、アプリケーションの名称、識別子）を抽出する。制御部１１は、抽出したアプリケーションについて、対応テーブルＴ１００で、共通の対応する複合ＵＩ（User Interface）が存在するか否かを検索する。
【００７５】
対応テーブルＴ１００は、複合ＵＩと、当該複合ＵＩに対応するアプリケーションとの対応関係を示すテーブルである。複合ＵＩは、複数のアプリケーションの機能を１つの実行画像として表示するためのユーザインタフェイスである。例えば、ＦＭラジオを実現するＦＭアプリと、ＡＭラジオを実現するＡＭアプリとでは、共通する操作ボタン（例えば、選局ボタン、音量ボタン等）を有し得るので、複合ＵＩによって、両方のアプリケーションの機能に関連する１つの実行画像（ウィジェット）を生成しうる。また、当該複合ＵＩには、例えば、ＣＤ等から音楽等を再生するＣＤ再生アプリも対応しうる。
【００７６】
また、例えば、日付などのカレンダーを表示するカレンダーアプリと、日付ごとの天気予報を表示する天気予報アプリとが、１つの複合ＵＩによって表示されてもよい。
【００７７】
図１８は、対応テーブルの例を示す図である。図１８の対応テーブルＴ１００では、存在する複合ＵＩと、当該複合ＵＩに対応しうるアプリケーションとが、対応付けられて格納されている。例えば、複合ＵＩ−Ａに対して、アプリケーションＡＰＰ−Ａ、ＡＰＰ−Ｂが対応付けられている。対応テーブルＴ１００は、記憶部１２に格納される。また、記憶部１２は、各複合ＵＩの表示を実現するためのプログラムを格納する。１つのアプリケーションに対して、複数の複合ＵＩが対応してもよい。
【００７８】
制御部１１は、共通の対応する複合ＵＩが存在する場合、当該複合ＵＩの表示を実現するためのプログラムを実行する。制御部１１は、当該プログラムにより、複合ＵＩを元のアプリケーションの実行画像の代わりに表示する。元のアプリケーションは、Ｓ３０９で検出したドラッグ操作が終了した位置の領域に表示されるアプリケーションである。当該複合ＵＩは、先に抽出された各アプリケーションより、複合ＵＩで表示する情報の指示を受ける。また、複合ＵＩの操作ボタン等において入力された情報は、各アプリケーションに送られる。各アプリケーションは、送られた情報に基づいて、所定の処理を行うことができる。
【００７９】
図１９は、情報処理装置の出力部のディスプレイに表示されるアプリケーションの実行画面を含む画像の例３−１を示す図である。図１９の例では、情報処理装置１０の出力部１４のディスプレイに表示される画像３０１は、背景画像３１１、４個のアプリケーションの実行画像３２１−１〜４を含む。実行画像３２１−１は、ＦＭラジオを実現するＦＭアプリの実行画像であるとする。
【００８０】
図２０は、図１９の画像に新たに起動されたアプリケーションの仮実行画像が表示される画像の例を示す図である。図２０の画像３０２では、図１９の画像３０１に、仮実行画像３２１−５ａが重ねられて表示されている。仮実行画像３２１−５ａが表示される位置は、アイコンの一覧画像において表示されていた仮実行画像の位置と同じである。ここでは、仮実行画像３２１−５ａは、ＡＭラジオを実現するＡＭアプリであるとする。ここで、表示される仮実行画像３２１−５ａは、半透明であることが望ましい。このとき、仮実
行画像３２１−５ａに、他の実行画像等が透けて見えるようになる。ここでは、仮実行画像３２１−５ａは、ドラッグ操作されている。仮実行画像３２１−５ａは、ドラッグ操作にともなって、画像内を移動する。
【００８１】
図２１は、図２０でドラッグ操作されている仮実行画像が、他の実行画像の領域に対して移動された（ドロップ操作された）際の画像の例を示す図である。図２１の画像３０３では、図２０のＡＭアプリの仮実行画像３２１−５ａが、ＦＭアプリの実行画像３２１−１の領域でドロップ操作された際に表示される複合ＵＩ３２１−６が表示されている。複合ＵＩ３２１−６は、ＡＭアプリ及びＦＭアプリの両方の機能に対応する所定の情報の入出力機能を備える実行画像である。複合ＵＩ３２１−６は、現在出力中の周波数を表示したり、音量を調節する音量ボタンを表示して音量の調節の入力を受け付けたりする。複合ＵＩにより、複数のアプリケーションを１つの実行画像で表示することができ、多くのアプリケーションを実行しても、実行画像の数の増加を抑制することができる。
【００８２】
一方、Ｓ３０９で検出したドラッグ操作が終了した位置（ドロップした位置）の領域に表示されるアプリケーションと、Ｓ３０３で選択されたアプリケーションとで、共通の対応する複合ＵＩが存在しない場合、制御部１１は、ドロップした位置の実行画像の領域で、それぞれのアプリケーションのアプリケーションスイッチを表示する。アプリケーションスイッチは、対応するアプリケーションの実行画像を表示させるための操作ボタンである。アプリケーションスイッチにおいて選択操作がされると、当該アプリケーションスイッチに対応するアプリケーションの実行画像が表示される。即ち、アプリケーションスイッチの領域において、タップ操作等の選択操作をされると、当該実行画像の領域で、すべてのアプリケーションスイッチの表示が消去され、当該アプリケーションスイッチに対応するアプリケーションの実行画像が、当該アプリケーションスイッチが表示されている領域に表示される。これによって、共通の対応する複合ＵＩが存在しないアプリケーションの組合せであっても、ドロップ操作によって、１箇所にまとめて表示させることができる。なお、各アプリケーションは、実行画像が表示されなくても、実行された状態である。
【００８３】
図２２は、アプリケーションスイッチの表示例を示す図である。図２２の画像３０４では、アプリケーションの実行画像３２１−１、−３、−４、背景画像３１１を含む。また、画像３０４は、アプリケーションスイッチ３２１−７、−８を含む。それぞれのアプリケーションスイッチには、対応するアプリケーションが存在する。アプリケーションスイッチ自体は、アプリケーションの実行画像ではない。アプリケーションスイッチの画像は、アプリケーションのアイコンと同様のアプリケーションを象徴する画像である。アプリケーションスイッチの画像の大きさは、例えば、実行画像の２分の１または４分の１の大きさである。アプリケーションスイッチ３２１−７または３２１−８が選択操作されることで、アプリケーションスイッチ３２１−７及び３２１−８の領域に、選択されたアプリケーションの実行画像が表示される。
【００８４】
（その他）
上記では、情報処理装置１０は、車両に搭載される装置であるとしたが、情報処理装置１０は、車両１に搭載されない装置（例えば、スマートフォン、タブレット端末など）であってもよい。このとき、情報処理装置１０は、車両１のオーディオ装置２０、空調装置３０、ナビゲーション装置４０等に接続されなくてもよい。
【００８５】
上記の構成例は、上記の構成に限定されるものではなく、本発明の趣旨を逸脱しない範囲内において、変更したり組み合わせたりすることができる。
【００８６】
（実施形態の作用、効果）
情報処理装置１０の制御部１１は、アプリケーションのアイコンの一覧画像を、出力部
１４のディスプレイに表示させる。利用者により、アプリケーションの一覧画像において、アプリケーションのアイコンに対して選択操作（例えば、タッチパネル上での長押し）がされると、制御部１１は、当該アプリケーションを起動し、当該アプリケーションの実行画像を、ディスプレイ内の選択操作された位置を中心とした領域に、表示させる。利用者は、表示された実行画像を確認することで、選択したアプリケーションを認識することができる。利用者が意図しないアプリケーションを選択した場合であっても、表示された実行画像を確認することで間違いを認識することができる。利用者は、小さなアイコンよりもより大きな実行画像のほうが、アプリケーションを確認しやすい。アプリケーションを確認しやすいことで、所望のアプリケーションの実行画像を表示させるまでの手順が少なくなる。また、所望のアプリケーションの実行画像を表示させるまでの手順が少なくなることで、車両の運転者が情報処理装置１０に対して行う操作が少なくなり、運転上の安全性が向上する。
【００８７】
情報処理装置１０の制御部１１は、利用者がドラッグ操作及びドロップ操作によって、起動したアプリケーションの実行画像を空きスペースに移動させた場合、ドロップ操作された位置に応じて、表示する実行画像の大きさを変更する。例えば、２つの隣接した空きスペースの接続部分近辺でドロップ操作された場合には、制御部１１は、２つの隣接した空きスペースを含む大きさの実行画像を表示させる。また、２つの隣接した空きスペースがあって、一方の空きスペースから離れた位置の他方の空きスペースの領域でドロップ操作された場合には、制御部１１は、当該他方の空きスペースを含む大きさの実行画像を表示させる。情報処理装置１０が空きスペースにおいてドロップ操作された位置に応じて実行画像の大きさを決定することで、利用者は簡易な操作でアプリケーションの実行画像の大きさを選択することができる。
【００８８】
情報処理装置１０は、既に実行されているアプリケーションの実行画像の領域に、他のアプリケーションの実行画像がドロップ操作された場合に、両アプリケーションに対応する複合ＵＩが存在するか否かを探索する。両アプリケーションに対応する複合ＵＩが存在する場合には、両アプリケーションの実行画像として、複合ＵＩを表示する。これにより、多くのアプリケーションが実行されていても、表示される実行画像の数を抑制することができる。また、両アプリケーションに対応する複合ＵＩが存在しない場合には、実行画像の領域に、実行画像の代わりに、各アプリケーションのアプリケーションスイッチを表示する。アプリケーションスイッチは、選択操作がされると対応するアプリケーションの実行画像を表示させる操作ボタンである。これにより、共通の対応する複合ＵＩが存在しないアプリケーション同士であっても、１つの実行画像の領域に表示させることができる。また、利用者の好みに応じて、アプリケーションを１箇所にまとめることができる。
【００８９】
〈コンピュータ読み取り可能な記録媒体〉
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【００９０】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体内には、ＣＰＵ、メモリ等のコンピュータを構成する要素を設け、そのＣＰＵにプログラムを実行させてもよい。
【００９１】
また、このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ＤＡＴ、８mmテープ、メモリカード等がある。
【００９２】
また、コンピュータ等に固定された記録媒体としてハードディスクやＲＯＭ（Read Only memory）等がある。
【符号の説明】
【００９３】
１          車両
２          ネットワーク
１０          情報処理装置
１１            制御部
１２            記憶部
１３            入力部
１４            出力部
１５            通信部
２０          オーディオ装置
３０          空調装置
４０          ナビゲーション装置
【図１】
2017117389.tif 000003
【図２】
2017117389.tif 000004
【図３】
2017117389.tif 000005
【図４】
2017117389.tif 000006
【図５】
2017117389.tif 000007
【図６】
2017117389.tif 000008
【図７】
2017117389.tif 000009
【図８】
2017117389.tif 000010
【図９】
2017117389.tif 000011
【図１０】
2017117389.tif 000012
【図１１】
2017117389.tif 000013
【図１２】
2017117389.tif 000014
【図１３】
2017117389.tif 000015
【図１４】
2017117389.tif 000016
【図１５】
2017117389.tif 000017
【図１６】
2017117389.tif 000018
【図１７】
2017117389.tif 000019
【図１８】
2017117389.tif 000020
【図１９】
2017117389.tif 000021
【図２０】
2017117389.tif 000022
【図２１】
2017117389.tif 000023
【図２２】
2017117389.tif 000024